(57)【特許請求の範囲】
【請求項１】
端末および通信回線を介して入力されたユーザの第１の音声認証用音声データとユーザの第１の音声認識用音声データを入力し、
前記ユーザの第１の音声認証用音声データをデジタル変換したデジタル音声認証用音声データに、該デジタル音声認証用音声データから作成した声紋データを加えた第１音声データと、
前記ユーザの第１の音声認識用音声データをデジタル変換したデジタル音声認識用音声データである第２音声データを、含むテーブルを予め記憶する記憶装置と、
前記端末および通信回線を介して前記ユーザの認証依頼に基づき入力された第２の音声認証用音声データをデジタル変換した第１のデジタル音声データと、前記テーブル中の対応する第１音声データを比較し、前記第１のデジタル音声データを認証し、前記端末のユーザが真正なユーザであるか否かを判断する音声認証手段と、
前記端末および通信回線を介して前記ユーザの認証依頼に基づき入力された第２の音声認識用音声データまたは前記第２の音声認証用音声データをデジタル変換した第２のデジタル音声データと、前記テーブル中の対応する第２音声データを比較し、前記第２のデジタル音声データを音声認識し、前記ユーザの発話内容の正誤を確認する音声認識手段と、を備え、
前記音声認証手段による第１のデジタル音声データの認証と、前記音声認識手段による第２のデジタル音声データの認識の組合せにより、本人認証することを特徴とする本人認証装置。
【請求項２】
端末および通信回線を介して入力されたユーザの第１の音声認証用音声データとユーザの第１の音声認識用音声データを入力し、
前記ユーザの第１の音声認証用音声データをデジタル変換したデジタル音声認証用音声データに、該デジタル音声認証用音声データから作成した声紋データを加えた第１音声データと、
前記ユーザの第１の音声認識用音声データをデジタル変換したデジタル音声認識用音声データである第２音声データを、含むテーブルを予め記憶する記憶装置と、
前記端末および通信回線を介して前記ユーザの認証依頼に基づき入力された第２の音声認証用音声データをデジタル変換した第１のデジタル音声データと、前記テーブル中の対応する第１音声データを比較し、前記第１のデジタル音声データを認証し、前記端末のユーザが真正なユーザであるか否かを判断する音声認証手段と、
前記端末および通信回線を介して前記ユーザの認証依頼に基づき入力された第２の音声認識用音声データまたは前記第２の音声認証用音声データをデジタル変換した第２のデジタル音声データと、前記テーブル中の対応する第２音声データを比較し、前記第２のデジタル音声データを音声認識し、前記ユーザの発話内容の正誤を確認する音声認識手段と、
前記音声認証手段及び前記音声認識手段による判定結果に応じて前記端末から入力された音声データの本人認証結果を通知する通知手段と、を備え、
前記音声認証手段による第１のデジタル音声データの認証と、前記音声認識手段による第２のデジタル音声データの認識の組合せにより、本人認証することを特徴とする本人認証装置。
【請求項３】
端末および通信回線を介して入力されたユーザの第１の音声認証用音声データとユーザの第１の音声認識用音声データを入力し、
前記ユーザの第１の音声認証用音声データをデジタル変換したデジタル音声認証用音声データに、該デジタル音声認証用音声データから作成した声紋データを加えた第１音声データと、
前記ユーザの第１の音声認識用音声データをデジタル変換したデジタル音声認識用音声データである第２音声データを、含むテーブルを予め記憶する工程と、
前記端末および通信回線を介して前記ユーザの認証依頼に基づき入力された第２の音声認証用音声データをデジタル変換した第１のデジタル音声データと、前記テーブル中の対応する第１音声データを比較し、前記第１のデジタル音声データを認証して、前記端末のユーザが真正なユーザであるか否かを判断する音声認証工程と、
前記端末および通信回線を介して前記ユーザの認証依頼に基づき入力された第２の音声認識用音声データまたは前記第２の音声認証用音声データをデジタル変換した第２のデジタル音声データと、前記テーブル中の対応する第２音声データを比較し、前記第２のデジタル音声データを音声認識して、前記ユーザの発話内容の正誤を確認する音声認識工程を含み、
前記音声認証工程による第１のデジタル音声データの認証と、前記音声認識工程による第２のデジタル音声データの認識の組合せにより、本人認証することを特徴とする本人認証方法。
【請求項４】
端末および通信回線を介して入力されたユーザの第１の音声認証用音声データとユーザの第１の音声認識用音声データを入力し、
前記ユーザの第１の音声認証用音声データをデジタル変換したデジタル音声認証用音声データに、該デジタル音声認証用音声データから作成した声紋データを加えた第１音声データと、
前記ユーザの第１の音声認識用音声データをデジタル変換したデジタル音声認識用音声データである第２音声データを、含むテーブルを予め記憶する記憶工程と、
前記端末および通信回線を介して前記ユーザの認証依頼に基づき入力された第２の音声認証用音声データをデジタル変換した第１のデジタル音声データと、前記テーブル中の対応する第１音声データを比較し、前記第１のデジタル音声データを認証し、前記端末のユーザが真正なユーザであるか否かを判断する音声認証工程と、
前記端末および通信回線を介して前記ユーザの認証依頼に基づき入力された第２の音声認識用音声データまたは前記第２の音声認証用音声データをデジタル変換した第２のデジタル音声データと、前記テーブル中の対応する第２音声データを比較し、前記第２のデジタル音声データを音声認識し、前記ユーザの発話内容の正誤を確認する音声認識工程と、
前記音声認証工程及び前記音声認識工程による判定結果に応じて前記端末から入力された音声データの本人認証結果を通知する通知工程とを含み、
前記音声認証工程による第１のデジタル音声データの認証と、前記音声認識工程による第２のデジタル音声データの認識の組合せにより、本人認証することを特徴とする本人認証方法。
【発明の詳細な説明】
【技術分野】
【０００１】
本発明は、本人認証装置および本人認証方法に関する。
【背景技術】
【０００２】
従来より、パスワード、音声、画像、バイオメトリクス等を利用した認証装置が提案されている。
【０００３】
認証に画像情報を利用するものとして特許文献１記載の電子機器が提案されている。この特許文献１の電子機器では、撮像部で撮像した画像から人の顔を抽出してユーザを認証するようにしている。また、認証に音声情報を利用するものとして特許文献２に記載の画像形成装置が提案されている。特許文献２の画像形成装置では、ユーザの音声から声紋を抽出して抽出された声紋を記憶部に記憶された声紋情報と照合してユーザを認証するようにしている。
【先行技術文献】
【特許文献】
【０００４】
[特許文献１]  特開２００９−８１６５７号公報
[特許文献２]  特開２００９−９４６７１号公報
【発明の概要】
【発明が解決しようとする課題】
【０００５】
しかしながら、特許文献２に記載の従来技術のように、音声認証にアナログデータによってパターンによる照合分析を利用しているため、本人認証結果の精度が低く、またシステム処理工数が多いという問題があった。
【０００６】
そこで、本発明は、上記問題点に鑑みなされたものであって、少ないシステムの処理工数で本人認証結果の精度を高くできる本人認証装置および本人認証方法を提供することを目的とする。
【課題を解決するための手段】
【０００７】
上記課題を解決するために、本発明の本人認証装置は、端末および通信回線を介して入力されたユーザの第１の音声認証用音声データとユーザの第１の音声認識用音声データを入力し、前記ユーザの第１の音声認証用音声データをデジタル変換したデジタル音声認証用音声データに、該デジタル音声認証用音声データから作成した声紋データを加えた第１音声データと、前記ユーザの第１の音声認識用音声データをデジタル変換したデジタル音声認識用音声データである第２音声データを、含むテーブルを予め記憶する記憶装置と、前記端末および通信回線を介して前記ユーザの認証依頼に基づき入力された第２の音声認証用音声データをデジタル変換した第１のデジタル音声データと、前記テーブル中の対応する第１音声データを比較し、前記第１のデジタル音声データを認証し、前記端末のユーザが真正なユーザであるか否かを判断する音声認証手段と、前記端末および通信回線を介して前記ユーザの認証依頼に基づき入力された第２の音声認識用音声データまたは前記第２の音声認証用音声データをデジタル変換した第２のデジタル音声データと、前記テーブル中の対応する第２音声データを比較し、前記第２のデジタル音声データを音声認識し、前記ユーザの発話内容の正誤を確認する音声認識手段と、を備え、前記音声認証手段による第１のデジタル音声データの認証と、前記音声認識手段による第２のデジタル音声データの認識の組合せにより、本人認証する。
【０００８】
本発明によれば、デジタル変換後の音声データを利用して音声認証するため、本人認証結果の精度を高くできる。またデジタルデータを利用するためシステムの処理工数を少なくすることができる。また、本発明によれば、音声認証技術と音声認識技術の組み合わせを利用して本人認証をすることでより精度の高い本人確認を行うことができる。
【０００９】
また、本発明の音声認証装置は、端末および通信回線を介して入力されたユーザの第１の音声認証用音声データとユーザの第１の音声認識用音声データを入力し、前記ユーザの第１の音声認証用音声データをデジタル変換したデジタル音声認証用音声データに、該デジタル音声認証用音声データから作成した声紋データを加えた第１音声データと、前記ユーザの第１の音声認識用音声データをデジタル変換したデジタル音声認識用音声データである第２音声データを、含むテーブルを予め記憶する記憶装置と、前記端末および通信回線を介して前記ユーザの認証依頼に基づき入力された第２の音声認証用音声データをデジタル変換した第１のデジタル音声データと、前記テーブル中の対応する第１音声データを比較し、前記第１のデジタル音声データを認証し、前記端末のユーザが真正なユーザであるか否かを判断する音声認証手段と、前記端末および通信回線を介して前記ユーザの認証依頼に基づき入力された第２の音声認識用音声データまたは前記第２の音声認証用音声データをデジタル変換した第２のデジタル音声データと、前記テーブル中の対応する第２音声データを比較し、前記第２のデジタル音声データを音声認識し、前記ユーザの発話内容の正誤を確認する音声認識手段と、前記音声認証手段及び前記音声認識手段による判定結果に応じて前記端末から入力された音声データの本人認証結果を通知する通知手段と、を備え、前記音声認証手段による第１のデジタル音声データの認証と、前記音声認識手段による第２のデジタル音声データの認識の組合せにより、本人認証する。
【００１０】
本発明によれば、音声認証技術と音声認識技術の組み合わせを利用して本人認証をすることでより精度の高い本人確認を行うことができる。また、音声認証手段及び音声認識手段による判定結果に応じて、端末から入力された音声データの本人認証結果を通知する通知手段を備える。
【００１１】
また、本発明の本人認証方法は、端末および通信回線を介して入力されたユーザの第１の音声認証用音声データとユーザの第１の音声認識用音声データを入力し、前記ユーザの第１の音声認証用音声データをデジタル変換したデジタル音声認証用音声データに、該デジタル音声認証用音声データから作成した声紋データを加えた第１音声データと、前記ユーザの第１の音声認識用音声データをデジタル変換したデジタル音声認識用音声データである第２音声データを、含むテーブルを予め記憶する工程と、前記端末および通信回線を介して前記ユーザの認証依頼に基づき入力された第２の音声認証用音声データをデジタル変換した第１のデジタル音声データと、前記テーブル中の対応する第１音声データを比較し、前記第１のデジタル音声データを認証して、前記端末のユーザが真正なユーザであるか否かを判断する音声認証工程と、前記端末および通信回線を介して前記ユーザの認証依頼に基づき入力された第２の音声認識用音声データまたは前記第２の音声認証用音声データをデジタル変換した第２のデジタル音声データと、前記テーブル中の対応する第２音声データを比較し、前記第２のデジタル音声データを音声認識して、前記ユーザの発話内容の正誤を確認する音声認識工程を含み、前記音声認証工程による第１のデジタル音声データの認証と、前記音声認識工程による第２のデジタル音声データの認識の組合せにより、本人認証する。
【００１２】
また、本発明の本人認証方法は、端末および通信回線を介して入力されたユーザの第１の音声認証用音声データとユーザの第１の音声認識用音声データを入力し、前記ユーザの第１の音声認証用音声データをデジタル変換したデジタル音声認証用音声データに、該デジタル音声認証用音声データから作成した声紋データを加えた第１音声データと、前記ユーザの第１の音声認識用音声データをデジタル変換したデジタル音声認識用音声データである第２音声データを、含むテーブルを予め記憶する記憶工程と、前記端末および通信回線を介して前記ユーザの認証依頼に基づき入力された第２の音声認証用音声データをデジタル変換した第１のデジタル音声データと、前記テーブル中の対応する第１音声データを比較し、前記第１のデジタル音声データを認証し、前記端末のユーザが真正なユーザであるか否かを判断する音声認証工程と、前記端末および通信回線を介して前記ユーザの認証依頼に基づき入力された第２の音声認識用音声データまたは前記第２の音声認証用音声データをデジタル変換した第２のデジタル音声データと、前記テーブル中の対応する第２音声データを比較し、前記第２のデジタル音声データを音声認識し、前記ユーザの発話内容の正誤を確認する音声認識工程と、前記音声認証工程及び前記音声認識工程による判定結果に応じて前記端末から入力された音声データの本人認証結果を通知する通知工程とを含み、前記音声認証工程による第１のデジタル音声データの認証と、前記音声認識工程による第２のデジタル音声データの認識の組合せにより、本人認証する。
【発明の効果】
【００１３】
本発明によれば、少ないシステムの処理工数で本人認証結果の精度を高くできる本人認証装置および本人認証方法を提供することができる。
【図面の簡単な説明】
【００１４】
【図１】本発明の実施形態に係るシステムの構成図である。
【図２】本発明の実施形態における登録時の処理フローチャートである。
【図３】本発明の実施形態における本人認証時の処理フローチャートである。
【発明を実施するための形態】
【００１５】
以下、本発明に係る好適な実施形態について、図面を参照しながら詳細に説明する。
【００１６】
図１は、本発明の実施形態に係るシステムの構成図である。図１に示すように、本人認証システム１００内には、本人認証装置１、県民センター１０、市民センター２０〜４０、…、端末５０、６０等が設けられている。県民センター１０の下位層には、市民センター２０〜４０、…が設けられている。各市民センター２０〜４０には出張所２０Ａ〜２０Ｃ，…、出張所３０Ａ〜３０Ｃ，…、４０Ａ〜４０Ｃ，…が設けられている。
【００１７】
ユーザは端末５０を介して本人認証装置１へ本人認証用の音声データを登録することができる。またユーザは端末６０を介して本人認証装置１へ本人認証を依頼することができる。ここで、端末５０および端末６０は携帯電話でもよく、パーソナルコンピュータによるＩＰ電話でもよい。したがって、通信回線は電話回線およびインターネット回線を適用することができる。
【００１８】
本人認証装置１は、制御サーバ２、音声認証サーバ３、音声認識サーバ４、システム連携サーバ５を備え、これらはネットワーク６を介して接続されている。本実施形態では本人認証装置１を複数のサーバの組み合わせによって実現しているが一つのサーバによって本人認証装置１の機能を実現することもできる。また、制御サーバ２、音声認証サーバ３、音声認識サーバ４、システム連携サーバ５は、例えばＣＰＵ（Central Processing Unit）、ＲＡＭ（Random Access Memory）、ＲＯＭ（Read Only Memory）、ハードディスク装置などの記憶装置によって構成されている。
【００１９】
本人認証装置１は、デジタル音声認証とデジタル音声認識の組み合わせによる本人認証を行う装置である。音声認証技術と音声認識技術を組み合わせることによって、より精度の高い本人確認を行うことができる。音声認証のメリットとしては、特別の機器を使わずにいつでも、どこでも、本人確認が可能である。
【００２０】
制御サーバ２は、本人認証装置１全体を制御している。制御サーバ２は、音声認証サーバ３及び音声認識サーバ４による結果に応じて端末６０から入力された音声データの本人認証結果を端末６０に通知する。
【００２１】
音声認証サーバ３は、端末および通信回線を介して入力された音声認証用音声データをデジタル変換したデジタル音声データとこのデジタル音声データから作成した声紋データを利用して音声認証を行う。音声認証サーバ３は、音声認証用の文言として、氏名、生年月日、電話番号、個人番号等の個人の情報のなどの固定データを登録する。この音声認証用の文言としては例えば、例えば１０文字以内の任意の文言とすることができる。申込書には、その言葉の意味（ペットの名前、電話番号とかを記入する）を記入してもらい、その文言を端末５０から本認証装置１にデータ登録する。
【００２２】
詳細には、音声認証サーバ３は、端末５０から通信回線を介して入力されたユーザの音声認証用音声データをデジタル変換し、離散的に変換したデジタル音声データを音声認証サーバ３内の記憶装置のテーブル内に識別子に対応付けて記憶する。
【００２３】
ここで、個人を特徴づける声紋の要素には、声道の長さや形、声帯の長さ、性別、発話速度、発音等がある。そこで、音声認証サーバ３は、デジタル音声データに変換後に、声道の長さや形、声帯の長さ、性別、発話速度、発音等の情報を発話音声から抽出して点数化し、声紋データを作成し、この作成した声紋データをデジタル音声データに関連付けて音声認証サーバ３の記憶装置内のテーブル内に記憶する。音声認証サーバ３は、分別フィルタを通すことにより音の要素別にデータ保存を行う。
【００２４】
音声認証サーバ３は、「音質」「音程」「音量」の音の３つの要素を表現するデジタル音声データに、個別の声の質を判別する「声紋」を表現する声紋データを加えることにより音声認証用デジタルデータを構成する。したがって、音声認証用デジタルデータには、デジタル音声データと声紋データが含まれ、これらはテーブル内に関連付けて記憶されている。この音声認証用デジタルデータが第１音声データとなる。
【００２５】
音声認証サーバ３は、端末６０から通信回線を介して入力されたユーザの認証用音声データをデジタル変換したデジタルデータと、このデジタルデータから作成した声紋データを記憶装置内のテーブル中の対応する音声認証用デジタルデータ（第１音声データ）と比較しユーザの認証用音声データを音声認証する。音声認証サーバ３は、音質、音程、音量を表現するデジタル音声データと声紋データとに基づいて端末のユーザが真正なユーザであるかどうかを判断する。
【００２６】
具体的には、音声認証サーバ３は、判定処理において、相関処理を用いて、メモリ空間に２次元的なオリジナルデータとリクエストされた入力データを形成し、例えば水平方向Ｘを時間軸にとり、垂直方向Ｙをマグニチュード（ｍ）にとる二次元ビットイメージを生成する。そして、音声認証サーバ３は、二次元ビットイメージを水平方向に切り出して、マグニチュードのエッジを抽出し、この抽出したエッジの位置を比較することにより判定処理、すなわち相関処理をＣＰＵに実行させることで、両者の一致又は不一致を検出する。例えばデジタル変換された音声データは離散的にＲＡＭに保存されているので、水平方向に切り出したエッジの位置の同定処理により同一性を判定できるため、時間軸を間引いても音声データの同一性を短時間かつＣＰＵの負荷を低減させることができる。
【００２７】
従来の音声認証方式は、パターンによる照合分析を使用するのが一般的であったが、本実施形態では、音声認証サーバ３は、デジタルデータによるデータ比較照合により音声認証を行う。デジタル音声認証は、従来のパターン認識によるアナログ音声認証よりも認証精度を向上するとともにシステム処理工数を減少させることができる。
【００２８】
音声認識サーバ４は、音声認識でユーザの発話内容の正誤を確認する処理を実行する。制御サーバ２は、音声自動応答装置で幾つかの質問を行い、音声認識サーバ４は、質問に対する回答が正しかったか、内容に誤りや不合理な点がなかったかを含めて総合判断して認証する。
【００２９】
具体的には、音声認識サーバ４は、端末５０から通信回線を介して入力された音声認識用音声データをデジタル変換し、変換したデジタル音声データ（第２音声データ）を音声認識サーバ４の記憶装置内のテーブルに記憶する。音声認識サーバ４は、端末６０から通信回線を介して入力されたユーザの認証用音声データをデジタル変換したデジタルデータと音声認識サーバ４の記憶装置内のテーブル中の対応する第２音声データを読み出して比較しユーザの認証用音声データを音声認識する。この音声認識には隠れマルコフモデルや統計的言語モデルを用いることができる。
【００３０】
音声認識と組み合わせることにより任意の文言に対応が可能となる。音声認識用音声データについては、端末５０からの処理により、音声認証を行った後に文言の変更を行うことができる。音声を発することにより認証を行うため、他人に聞かれる可能性がある。そのため、音声認識用音声データを任意な時に変更を可能とすることにより、不正利用を防止できる。この変更機能は、他のバイオメトリクス方式と比較して優位な点である。他の虹彩、静脈等のバイオメトリクス方式は、固定データのみの活用であるが、本方式は、固定と可変との任意な組み合わせにより対応が可能である。
【００３１】
システム連携サーバ５は、制御サーバ２、音声認証サーバ３及び音声認識サーバ４の全体を連携させる。なお、本人認証装置１は、会員番号、口座番号、暗証番号、パスワード等の既存の認証手段と生体認証を併用してもよい。これにより、セキュリティの向上を図ることができる。
【００３２】
次に、登録時の処理について説明する。図２は、本発明の実施形態における登録時の処理フローチャートである。ユーザは、音声認証処理を利用する場合、申込み受付を行った後、端末５０より本人登録電話番号に架電を行う（ステップＳ１１）。ユーザは端末５０より制御サーバ２からの指示に基づき登録申込み時のＩＤおよびパスワードの入力を行う（ステップＳ１２）。制御サーバ２は、入力されたＩＤ及びパスワードに従い申込み時のデータと照合を行う（ステップＳ１３）。
【００３３】
制御サーバ２は、ＩＤとパスワードの照合がＯＫであった場合（ステップＳ１３でＹ）、端末５０から入力された音声に基づいて、音声認証用音声データ（固定データ）の登録を行う（ステップＳ１４）。音声認証サーバ３は、制御サーバ２からの指示に従い、複数回、音声認証用音声データ取得を行う。制御サーバ２からの音声指示に基づいて、ユーザは端末５０より各音声について例えば３回入力を行って、制御サーバ２は、データの保存を実施する。
【００３４】
音声認証サーバ３は、 端末５０から入力された音声認証用データをデジタル変換し、離散的に変換したデジタル音声データを音声の要素に分けてデジタル録音により格納する（ステップＳ１４）。
【００３５】
音声認証サーバ３は、認証要素として、まず変換したデジタル音声データから音声の特徴を表す要素ＰＡＲＣＯＲ係数（偏自己相関係数）を分析して抽出する。次に、音声認証サーバ３は、さらに、変換したデジタル音声データからピッチ周期、振幅、有声／無声判断など音源情報を作り出し声紋データとして音声認証サーバ３の記憶装置内のテーブルに格納する。このデジタル音声データと声紋データとが音声認証用デジタルデータとなる。ここで、音声情報をアナログデータとして格納をした場合、音声認識としては使えるが、元の音声確認、すなわち音声認証が複雑になる。そこで、音声認証サーバ３は、認証方式を変更した場合でも、データ再取得対応と肉声を聞く必要があるときの対応として音声そのものをデジタルデータとして保存しておく。
【００３６】
次に音声認識サーバ４は、任意の言葉の登録を行う（ステップＳ１５）。端末５０を介して制御サーバ２からの指示に基づいて申込み書記入の任意の言葉を発声してもらう。音声認識サーバ４は、端末６０および通信回線を介して入力されたユーザの認証用音声データをデジタル録音により記録する。データを固定音声と同様分析を行い、肉声を合わせて格納する（ステップＳ１６）。音声認識サーバ４は、端末５０から通信回線を介して入力されたユーザ認証用音声データをデジタル変換し、離散的に変換したデジタル音声データを音声認識サーバ４の記憶装置内のテーブルに記憶する。
【００３７】
次に、本人認証時の処理について説明する。図３は、本発明の実施形態における本人認証時の処理フローチャートである。
【００３８】
制御サーバ２は、指定の電話番号から受電する（ステップＳ２１）。制御サーバ２は、端末６０から登録申込み時のＩＤおよびパスワードの入力を行い（ステップＳ２２）、登録されているＩＤとパスワードデータと照合を行う（ステップＳ２３）。音声認証サーバ３は、ＩＤとパスワードの照合がＯＫであった場合、制御サーバ２からの指示に従い、ユーザの認証用音声データの照合を行う（ステップＳ２４）。具体的には、音声認証サーバ３は、相関処理を用いて、メモリ空間に２次元的なオリジナルデータとリクエストされた入力データを形成し、例えば水平方向Ｘを時間軸にとり、垂直方向Ｙをマグニチュード（ｍ）にとる二次元ビットイメージを生成する。そして、音声認証サーバ３は、二次元ビットイメージを水平方向に切り出して、マグニチュードのエッジを抽出し、この抽出したエッジの位置を比較することにより両者の一致又は不一致を検出する。制御サーバ２は、音声認証処理において固定データの照合がＯＫの場合、ステップＳ２５に進める。
【００３９】
音声認識サーバ４は、音声認証処理において本人確認係数が一定値以下の場合、あるいは機械（レコーダー等の機械発声音）からの発生が疑われる場合は、ユーザの認証用音声データ（任意の文言）について音声認証と同様、制御サーバ２からの指示に従い任意データの照合を行って音声認識処理を実行する（ステップＳ２５）。音声認識サーバ４は、音声認識処理において任意データの認証がＯＫの場合にステップＳ２６に進む。音声認証サーバ３と音声認識サーバ４は、固定データおよび任意データについて、決められた一定期間経過後（たとえば1年）である場合、複数保有するデータのうち最終のものを最新のものと入れ替える制御を行う。これによりユーザの声道の変化による経年劣化に対応することができる。
【００４０】
制御サーバ２は、発声に対して音声認証機能および音声認識機能により総合判定を行って、本人認証結果をシステムに返す（ステップＳ２６）。これによって本人認証が終了する。
【００４１】
上述の実施形態では垂直方向のマグニチュード（ｍ）を例示したが、本発明は垂直方向のマグニチュード（ｍ）に限定されることはなく、例えば、水平方向に時間軸（ｔ）をメモリ（ＲＡＭ）に設定し、垂直方向に周波数帯域（ｆ）のスペクトラムを設定してもよい。この周波数帯域は第一フォルマント(約５００〜１０００Ｈｚ)と第二フォルマント(約１５００〜３０００Hz)によって母音が判別でき、子音には明確なフォルマントが確認することができない。 
そして、記憶装置に記憶しているオリジナルの周波数帯域の音声データパターンをヒストグラムラムのエッジ画像で特定し、認証する音声入力データの周波数帯域の音声データパターンをヒストグラムラムのエッジ画像で特定し、両者を相関処理することでデータの一致もしくは不一致を判定することができる。
【００４２】
この場合、第一フォルマンと第二フォルマンの画像が位置するか否かを判定するので、すべての周波数帯域の音声データを比較しないため、フォルマント周波数帯域（ｘ方向）以外の周波数帯域に現れるヒストグラム画像処理を省略することでＣＰＵの負荷を低減でき処理速度を向上することができる。例えば、ＣＰＵは１０秒間のサンプリングデータの相関処理を０．５秒以内に完了させることができる。つまりアナログ解析に比してデジタル処理が速度およびＣＰＵの負荷を軽減できるし、固体差によるフォルマント周波数の分布およびベクトルがそれぞれ相違するため、認証処理の精度が従来に比して向上させることができる。さらに、ヒストグラムのエッジ検出は所定の閾値に設定してもよく、０レベルを所定期間に何回通過したかを検出するゼロクロス検出を用いても良い。要はヒストグラム画像の相関処理ができるデータを用いることができる。
【００４３】
以上、本発明の好ましい実施例について詳述したが、本発明に係る実施例に限定されるものではなく、特許請求の範囲に記載された本発明の要旨の範囲内において、種々の変形、変更が可能である。
【符号の説明】
【００４４】
１００  本人認証システム
１  本人認証装置
２  制御サーバ
３  音声認証サーバ
４  音声認識サーバ
５  システム連携サーバ
【図１】
0005436951.tif 000002
【図２】
0005436951.tif 000003
【図３】
0005436951.tif 000004